(57)【要約】【課題】差分データ伝送方式におけるデータのシリアル伝送経路で発生するＥＭＩを低減できる画像表示装置を提供することを目的とする。【解決手段】差分変調部（１２）から出力された差分デジタルデータを差動信号変調部（１４）でシリアル信号に変換し、差動信号復調部（１６）で差分デジタルデータに復調し、差分復調部（１８）でデジタル画像データに変換して画像表示部（２０）で表示する画像表示装置であって、前記差分デジタルデータは、絶対値を表す複数ビットの差分絶対値データと、を含み、前記差動信号変調部は、１画素分の前記差分絶対値データのうちの上位ビット側のデータをその１画素分のシリアル信号を出力する期間の前半もしくは後半に出力し、その１画素分の前記差分絶対値データの下位ビット側のデータをその１画素分のシリアル信号を出力する期間の後半もしくは前半に出力することを特徴とする画像表示装置を提供する。【選択図】    図５
2004177743.tif 000002
【特許請求の範囲】
【請求項１】
デジタル画像データを入力し、保持しているデータに対する差分を差分デジタルデータとして出力する差分変調部と、
前記差分変調部から出力される前記差分デジタルデータをシリアル信号に変換して出力する差動信号変調部と、
前記シリアル信号を伝送する１対以上の差動信号伝送路と、
前記差動信号伝送路を介して伝送された前記シリアル信号を前記差分デジタルデータに復調する差動信号復調部と、
前記差動信号復調部により復調された前記差分デジタルデータを入力し、保持しているデータを加算してデジタル画像データを出力する差分復調部と、
前記差分復調部から出力された前記デジタル画像データを入力して画像を表示する画像表示部と、
を備え、
前記差分デジタルデータは、符号を表す少なくとも１ビットの符号データと、絶対値を表す複数ビットの差分絶対値データと、を含み、
前記差動信号変調部は、１画素分の前記差分絶対値データのうちの上位ビット側のデータをその１画素分のシリアル信号を出力する期間の前半もしくは後半に出力し、その１画素分の前記差分絶対値データの下位ビット側のデータをその１画素分のシリアル信号を出力する期間の後半もしくは前半に出力することを特徴とする画像表示装置。
【請求項２】
前記上位ビット側のデータと前記下位ビット側のデータとにより構成される前記シリアル信号は、前記１画素分の前記差分絶対値データのうちの任意の複数のビットデータに対応することを特徴とする請求項１記載の画像表示装置。
【請求項３】
前記差動信号変調部から出力される前記シリアル信号は、前記１画素分の前記差分絶対値データを上位ビット側から下位ビット側、または下位ビット側から上位ビット側の順番に配列したものであることを特徴とする請求項１または２に記載の画像表示装置。
【請求項４】
前記差動信号変調部から出力される前記シリアル信号は、１画素おきに全ビットが反転されてなることを特徴とする請求項１〜３のいずれか１つに記載の画像表示装置。
【請求項５】
前記反転されるタイミングは、隣接する前記差動信号伝送路のうちの一方の前記差動信号伝送路と、他方の前記差動信号伝送路との間で１画素分ずれていることを特徴とする請求項４記載の画像表示装置。
【請求項６】
前記差動信号変調部から出力される前記シリアル信号は、１画素毎にビットの順列が逆転されたものであることを特徴とする請求項１〜３のいずれか１つに記載の画像表示装置。
【請求項７】
前記シリアル信号のビットの順列は、隣接する前記差動信号伝送路のうちの一方の前記差動信号伝送路と、他方の前記差動信号伝送路との間で逆転していることを特徴とする請求項６記載の画像表示装置。
【請求項８】
前記差動信号変調部は、隣接する前記差動信号伝送路のうちのいずれか一方の前記差動信号伝送路には前記シリアル信号の全ビットを反転して出力することを特徴とする請求項１〜３のいずれか１つに記載の画像表示装置。
【請求項９】
前記差動信号変調部は、隣接する前記差動信号伝送路のうちのいずれか一方の前記差動信号伝送路には前記シリアル差動信号のビットの順列を入れ替えて出力することを特徴とする請求項１〜３のいずれか１つに記載の画像表示装置。
【発明の詳細な説明】
【０００１】
【発明の属する技術分野】
本発明は、画像表示装置に関し、特に、デジタルデータの伝送に伴って発生するＥＭＩ（ｅｌｅｃｔｒｏ−ｍａｇｎｅｔｉｃ  ｉｎｔｅｒｆｅｒｅｎｃｅ：電磁波妨害）を従来よりも低減できる画像表示装置に関する。
【０００２】
【従来の技術】
液晶ディスプレイ（ｌｉｑｕｉｄ  ｃｒｙｓｔａｌ  ｄｉｓｐｌａｙ：ＬＣＤ）やＬＥＤディスプレイ、プラズマディスプレイ（ｐｌａｓｍａ  ｄｉｓｐｌａｙ  ｐａｎｅｌ：ＰＤＰ）、電界効果型表示装置（ｆｉｅｌｄ  ｅｍｉｓｓｉｏｎ  ｄｉｓｐｌａｙ：ＦＥＤ）、ＥＬ（ｅｌｅｃｔｒｏ  ｌｕｍｉｎｅｓｃｅｎｔ）ディスプレイなどの画像表示装置は、マトリックス状に配置された画素と、これら画素に画像信号を供給するための信号線駆動回路と、この信号線駆動回路に画像データを伝送するための回路基盤とを備えている。デジタル化された画像データはこの回路基盤上を伝送されて、信号線駆動回路に入力される。
【０００３】
一般に、信号線駆動回路に入力されるデジタル画像データは、赤（Ｒ）、緑（Ｇ）、青（Ｂ）などの色要素に対応する各画素に供給されるデータであり、これらのデータはパラレルに伝送される。すなわち、各色要素の階調が８ビットであれば、８ビット×３＝２４ビットのデジタル画像データが伝送される。
【０００４】
近年、画像表示装置の大画面化、高精彩化が進められ、それに伴って、上述のような画像表示装置の回路基盤上の伝送路を伝送される画像データの周波数も非常に高くなってきている。このように周波数の高いデジタルデータが伝送される場合、「ＥＭＩ」と呼ばれる電磁ノイズが生ずる場合があり、ＥＭＩを低減する必要が高まってきている。
【０００５】
ＥＭＩを低減する方法としては、例えば、ＬＶＤＳ（Ｌｏｗ  Ｖｏｌｔａｇｅ  Ｄｉｆｆｅｒｅｎｔｉａｌ  Ｓｉｇｎａｌｉｎｇ）やＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）といった差分データ伝送方式が提案されている。
【０００６】
図３０は、ＬＤＶＳを採用した画像表示システムの全体構成を例示する概念図である。
【０００７】
例えばノートパソコンの場合、図３０に表したように、グラフィックコントローラ１１０からの画像データ出力側にＬＶＤＳ（あるいはＴＭＤＳ）の差動変調部１２０を設け、一方、液晶表示装置の側においては、液晶表示部１４０のデータ入力側にＬＶＤＳ（あるいはＴＭＤＳ）の差動復調部１３０を設ける。差動変調部１２０によってデジタル信号２１０は電圧振幅の小さい差動シリアル信号２２０に変調され、差動復調部１３０において再びデジタル画像データ２３０に変換される。差動シリアル信号２２０は、デジタル信号２１０に比べて電圧振幅が小さいので、ＥＭＩも低減される。このようにして、差動変調部１２０から差動復調部１３０までの区間において、画像データの伝送によるＥＭＩを低減することができる。
【０００８】
しかし、近年、液晶ディスプレイなどの画像表示装置の高精細化が進み、ＬＶＤＳのように小振幅差動信号に変換しても、その伝送路から発生するＥＭＩが問題となりつつある。この問題を解決する方法の一つとして、比較的低規模な回路構成でＥＭＩを低減する伝送方式である「垂直差分伝送方式」がある。この方式は、特許文献１に開示されている。
【０００９】
【特許文献１】
特開２０００−２００３１号公報。
【００１０】
【発明が解決しようとする課題】
垂直差分伝送方式は、一般的に画像の垂直方向の相関が高いという性質を利用した方式であり、ｎライン目の画像データは、ｎライン目と（ｎ−１）ライン目の画像データの差分データとして伝送される。ｎライン目の画像データと（ｎ−１）ライン目の画像データは相関が高く、すなわち差分が小さいため、データの遷移が大幅に減少し、そのためＥＭＩが低減する。この垂直差分方式では、復調回路をラインメモリーと加算器だけで構成することができる。従って、信号線駆動回路の構成を非常に小規模に変更するのみで、グラフィックスコントローラから信号線駆動回路までの区間のＥＭＩを低減することが可能となる。
【００１１】
以上説明したように、垂直差分伝送方式を採用すれば、比較的小規模の回路付加によって、信号線駆動回路に入力される伝送路におけるＥＭＩを低減することが可能である。
【００１２】
しかし、今後の更なる大画面化、高精彩化に対応するために伝送周波数を高周波数化した場合、更なるＥＭＩの低減が必要とされる。
【００１３】
本発明は、上記課題に鑑みてなされたものであり、その目的は、差分データ伝送方式におけるデータのシリアル伝送経路で発生するＥＭＩを低減できる画像表示装置を提供することを目的とする。
【課題を解決するための手段】
上記目的を達成するため、本発明の画像表示装置は、デジタル画像データを入力し、保持しているデータに対する差分を差分デジタルデータとして出力する差分変調部と、前記差分変調部から出力される前記差分デジタルデータをシリアル信号に変換して出力する差動信号変調部と、前記シリアル信号を伝送する１対以上の差動信号伝送路と、前記差動信号伝送路を介して伝送された前記シリアル信号を前記差分デジタルデータに復調する差動信号復調部と、前記差動信号復調部により復調された前記差分デジタルデータを入力し、保持しているデータを加算してデジタル画像データを出力する差分復調部と、前記差分復調部から出力された前記デジタル画像データを入力して画像を表示する画像表示部と、を備え、
前記差分デジタルデータは、符号を表す少なくとも１ビットの符号データと、絶対値を表す複数ビットの差分絶対値データと、を含み、前記差動信号変調部は、１画素分の前記差分絶対値データのうちの上位ビット側のデータをその１画素分のシリアル信号を出力する期間の前半もしくは後半に出力し、その１画素分の前記差分絶対値データの下位ビット側のデータをその１画素分のシリアル信号を出力する期間の後半もしくは前半に出力することを特徴とする。
【００１４】
上記構成によれば、、差分データ伝送方式におけるデータのシリアル伝送経路で発生するＥＭＩを低減できる画像表示装置を提供することができる。
【００１５】
ここで、前記上位ビット側のデータと前記下位ビット側のデータとにより構成される前記シリアル信号は、前記１画素分の前記差分絶対値データのうちの任意の複数のビットデータに対応するものとすることができる。
【００１６】
また、前記差動信号変調部から出力される前記シリアル信号は、前記１画素分の前記差分絶対値データを上位ビット側から下位ビット側、または下位ビット側から上位ビット側の順番に配列したものとすることができる。
【００１７】
また、前記差動信号変調部から出力される前記シリアル信号は、１画素おきに全ビットが反転されてなるものとしてもよい。
【００１８】
また、前記反転されるタイミングは、隣接する前記差動信号伝送路のうちの一方の前記差動信号伝送路と、他方の前記差動信号伝送路との間で１画素分ずれているものとすることもできる。
【００１９】
また、前記差動信号変調部から出力される前記シリアル信号は、１画素毎にビットの順列が逆転されたものとしてもよい。
【００２０】
また、前記シリアル信号のビットの順列は、隣接する前記差動信号伝送路のうちの一方の前記差動信号伝送路と、他方の前記差動信号伝送路との間で逆転しているものとすることもできる。
【００２１】
また、前記差動信号変調部は、隣接する前記差動信号伝送路のうちのいずれか一方の前記差動信号伝送路には前記シリアル信号の全ビットを反転して出力するものとしてもよい。
【００２２】
また、前記差動信号変調部は、隣接する前記差動信号伝送路のうちのいずれか一方の前記差動信号伝送路には前記シリアル差動信号のビットの順列を入れ替えて出力するものとしてもよい。
【００２３】
なお、本願明細書において「上位ビット側」とは、データの総ビット数のうちの上位側半分を表す。例えば、データが８ビットである場合は、「上位ビット側」とは最上位ビットから４ビット目までをいう。
【００２４】
但し、「上位ビット側のデータ」という場合には、必ずしも最上位ビットから４ビット目までの４ビット分のデータの全てを意味するとは限らず、この４ビット分のデータのうちの一部のデータ（例えば、最上位ビットから３ビット目までの３ビット分のデータ）のみを意味する場合も含むものとする。
【００２５】
同様に、本願明細書において「下位ビット側」とは、データの総ビット数のうちの下位側半分を表す。例えば、データが８ビットである場合は、「下位ビット側」とは５ビット目から最下位ビットまでをいう。
【００２６】
そして、「下位ビット側のデータ」という場合には、必ずしも５ビット目から最下位ビットまでの４ビット分のデータの全てを意味するとは限らず、この４ビット分のデータのうちの一部のデータ（例えば、５ビット目から最下位ビットまでの３ビット分のデータ）のみを意味する場合も含むものとする。
【００２７】
また、「反転」とは各ビットの符号あるいは極性に関して用い、「逆転」とは複数のビットの配列の順序に関して用いる。
【００２８】
【発明の実施の形態】
以下、図面を参照しつつ、本発明の実施の形態について詳細に説明する。
【００２９】
（第１の実施形態）
図１は、本発明の第１の実施形態にかかる画像表示装置の要部を表すブロック図である。すなわち、同図は、本発明を液晶表示装置に適用した場合の具体例を表す。
【００３０】
グラフィックスコントローラ１０より出力されたデジタル画像データ５０は、垂直差分変調部１２によりデジタルの垂直差分デジタルデータ５２に変調され、変調された垂直差分デジタルデータ５２は、差動信号変調部１４によりシリアルの差動信号５４に変換される。差動信号変調部１４によりシリアル差動信号に変換されたシリアル差動信号５４は、例えば、４対の差動信号伝送路によって、差動信号復調部１６に入力される。この時に、別途設けられた１対の差動信号伝送路によってクロック信号も差動信号復調部１６に伝送される。
【００３１】
差動信号復調部１６では、入力されたシリアル差動信号５４を垂直差分デジタルデータ５６に復調して垂直差分復調部１８に出力する。垂直差分復調部１８は、垂直差分デジタルデータ５６をデジタル画像データ５８に復調する。復調されたデジタル画像データ５８は、液晶表示部の信号線駆動回路２０に入力され、液晶表示部に画像が表示される。
【００３２】
次に、各部の動作を説明する。
【００３３】
図２は、垂直差分変調部１２の構成を例示するブロック図である。すなわち、入力された画像データ５０は、ラインメモリー１２Ａと差分回路１２Ｂとに入力される。ラインメモリー１２Ａでは、入力された画像データ５０を一旦保持し、所定の期間遅延させた後、差分回路１２Ｂに保持した画像データ５０（以下、「前画像データ」と呼ぶ）を出力する。本実施形態では、ラインメモリー１２Ａにより１水平走査期間遅延させて画像データを出力する。差分回路１２Ｂでは、画像データと前画像データとの排他的論理和の演算を行い差分データ５２を出力する。
【００３４】
画像データ５０がｎビットで表されている場合、差分データ５２は、符号ビットが１ビット必要となるため、（ｎ＋１）ビットのデータとなる。なお、図１に表した具体例においては、垂直差分変調部１２をグラフィックコントローラ１０と分けて設けているが、垂直差分変調部１２における処理は簡単なものであり、グラフィックコントローラ１０の内部に組み込むことも容易である。
【００３５】
図３は、垂直差分復調部１８の構成を例示するブロック図である。すなわち、入力された差分データ５６とラインメモリー１８Ａに保持された前画像データは、加算回路１８Ｂに入力される。加算回路１８Ｂでは、差分データと前画像データとの排他的論理和の演算を行い、画像データ５８を出力する。出力された画像データ５８は、ラインメモリー１８Ａに入力されて１水平走査期間保持した後、前画像データとして上記のように加算回路１８Ｂに入力される。なお、図１に表した具体例においては、液晶表示装置の信号線駆動回路２０と垂直差分復調部１８とを分けて設けているが、垂直差分復調部１８における処理も簡単なものであるので、信号線駆動回路２０の内部に組み込むことも容易である。
【００３６】
一方、差動信号変調部１４は、パラレルデジタル信号の画像データ５２をシリアルの小振幅差動信号５４に変調する。一般に、ＬＶＤＳやＴＭＤＳ、ＧＶＩＦ（Ｇｉｇａｂｉｔ  Ｖｉｄｅｏ  Ｉｎｔｅｒｆａｃｅ）等が使われる。本具体例では、ＬＶＤＳを用いることとし、赤、緑、青の各色を８ビットのデジタルデータが差動信号として、４対の伝送路でシリアルに伝送されるものとする。同様に差動信号復調部１６は、伝送されたシリアルの小振幅差動信号５４をパラレルデジタル信号の画像データ５６に復調するものである。
【００３７】
図４は、差動信号変調部１４から差動信号復調部１６へのシリアル信号の伝送を説明するための概念図である。すなわち、本具体例のシリアル信号伝送路は、４対の差動伝送路と１対のクロック伝送路とを有する。つまり、シリアル差動信号５４は、１対のクロック伝送路と４対の差動伝送路により伝送される。
【００３８】
ここで、図４は、ＬＶＤＳ信号が各伝送路を伝送される状態を表す。すなわち、クロック伝送路によりクロック信号が小振幅の差動信号として伝送され、１クロックの間に１画素分のデジタルの垂直差分データがシリアル化された２８ビットのデジタルデータとして４対の差動伝送路１〜４により伝送される。図４においては、あるフレームのＮ画素目の垂直差分データＤ０〜Ｄ２７が伝送される状態を表している。１対の伝送路では、７ビット分の垂直差分データが１クロック分の期間に伝送される。
【００３９】
以下、本実施形態における、Ｄ０〜Ｄ２７に対応する垂直差分データの割り当ての一例を説明する。
【００４０】
図５は、あるフレームにおけるＮ画素目の垂直差分データの伝送を例示する概念図である。
【００４１】
すなわち、同図において、Ｒ０〜Ｒ７は赤（Ｒ）の８ビットの垂直差分絶対値データ、Ｇ０〜Ｇ７は緑（Ｇ）の８ビット垂直差分絶対値データ、Ｂ０〜Ｂ７は青（Ｂ）の８ビット垂直差分絶対値データを表す。また、これらの添え字の数字は、０がＬＳＢ（ｌｅａｓｔ  ｓｉｇｎｉｆｉｃａｎｔ  ｂｉｔ：最下位ビット）、７がＭＳＢ（ｍｏｓｔ  ｓｉｇｎｉｆｉｃａｎｔ  ｂｉｔ：最上位ビット）を表す。また、ＲＳ、ＧＳ、ＢＳは、それぞれ各色の垂直差分データの符号ビットを表しており、ＶＳは垂直同期信号を表す。
【００４２】
図５では、各色８ビットの垂直差分絶対値データのうち、７ビット目（添え字６）からＭＳＢ（添え字０）までの７ビット分を降順にシリアル化している。しかし、例えば、この順列は昇順で構わないし、また、ＬＳＢから７ビット分をシリアル化しても構わない。また、７ビットの垂直差分絶対値データは、連続している必要は無く、例えば図６に例示したように、８ビットの垂直差分絶対値データから任意の７ビットを取り出して同様に昇順もしくは降順の順列でシリアル化してもよい。
【００４３】
次に、本実施形態のＥＭＩ低減化効果について説明する。
【００４４】
図７（ａ）は、ある１フレームの画像データのヒストグラムであり、図７（ｂ）は、その画像データを垂直差分処理した垂直差分絶対値データのヒストグラムである。ここで、画像データ及び垂直差分絶対値データは、ＸＧＡ（１０２４×７６８×３画素）サイズで、階調数は８ビット（２５６階調）である。
【００４５】
画像データにおいては、図７（ａ）に表したように階調で１５〜３０の間にピークを有する分布が見れられる。これに対して、垂直差分処理を行うことにより、同図（ｂ）に表したように、差分絶対値データは、階調ゼロ（０）に集中するようなデータとなり、階調の高いデータの頻度は少なくなる。これは、一般的に、画像は隣接する画素間での相関が非常に高く、そのため垂直差分処理により差分値はゼロ（０）に近い値となるためである。
【００４６】
図８は、ある１フレームの各色８ビットの画像データ及び垂直差分絶対値データのＬＳＢ〜ＭＳＢのビットが「１（ｈｉｇｈ：Ｈ）」である数及び全画素に対する割合を表す一覧表である。
【００４７】
垂直差分処理前の各色８ビットの画像データは、各ビットとも全体の約半数のビットが「１（Ｈ）」となっている。すなわち、垂直差分処理前の画像データは、各色８ビット全てのビットが画面全体にわたって、「１（Ｈ）」となったり、「０（ｌｏｗ：Ｌ）」となったりしている。
【００４８】
一方、垂直差分処理後の絶対値データは、ＬＳＢからＭＳＢへ近づくにつれて、「１（Ｈ）」となっているビットの個数が減少している。ＬＳＢでは、約半数のビットが１（Ｈ）となっているが、ＭＳＢでは約４％のビットが１（Ｈ）になっているだけである。すなわち垂直差分絶対値データは、上位ビット側は「０（Ｌ）」になっている場合が多い。これは、一般的にみて、隣接する画素の間で画像データの上位ビットまでが異なるケースが少ないことに対応する。
【００４９】
図９は、本実施形態において差分伝送路を伝送されるシリアル差動信号を表した概念図である。すなわち、同図（ａ）は、垂直差分処理前の画像データのシリアル差動信号の概念図であり、同図（ｂ）は、垂直差分絶対値データのシリアル差動信号の概念図である。また図中、斜めのハッチ部は図８において３０％以上が「１（Ｈ）」の状態（すなわち、「１（Ｈ）」と「０（Ｌ）」とが混在している状態）の状態を表し、ハッチなしの部分は、「１（Ｈ）」が３０％未満の状態（すなわち「０（Ｌ）」が非常に多い状態）を表す。
【００５０】
垂直差分処理前の画像では、全てのビットにおいて「１（Ｈ）」、「０（Ｌ）」とが混在している、すなわち、画像データの周波数は非常に高くなり、ＥＭＩが生じやすい。
【００５１】
これに対して、垂直差分絶対値データでは、上位ビット側の垂直差分絶対値データは「０（Ｌ）」になっている割合が高く、下位ビット側のみにおいて垂直差分絶対値データの周波数が高くなる。そこで、垂直差分絶対値データを上位ビットから下位ビットもしくは下位ビットから上位ビットにシリアル化することにより、１画素のシリアルデータは「０（Ｌ）」が連続する確率が高くなる。その結果として、このようにシリアル化した垂直差分絶対値データの周波数は、シリアル化の順序に応じて下げることが可能となり、ＥＭＩを低減することが可能となる。
【００５２】
以上説明したように、本発明によれば、差動信号伝送路をシリアル化するに際して、そのビット配列を工夫することにより、シリアル伝送路から放射されるＥＭＩを低減することが可能となる。
【００５３】
（第２の実施形態）
次に、本発明の第２の実施形態として、差動信号変調部１４から出力されるシリアル差動信号が、１画素（１クロック）おきに反転している画像表示装置について説明する。
【００５４】
図１０は、本実施形態において、Ｄ０〜Ｄ２７に対応して伝送される垂直差分データの割り当てを例示する模式図である。
【００５５】
すなわち、あるフレームのＮ画素目の垂直差分絶対値データは、第１の実施形態と同様に、ＭＳＢからＬＳＢもしくはＬＳＢからＭＳＢの順列で伝送される。本実施形態においては、各色８ビットの垂直差分絶対値データのうち、ＬＳＢ（添え字０）から７ビット目（添え字６）までを、降順の順列で伝送している。しかし、本実施形態では、次の（Ｎ＋１）画素目の垂直差分絶対値データは、全てビット反転されて伝送され、（Ｎ＋２）画素目の垂直差分絶対値データは、そのまま伝送される。図１０では、反転されているビットは添え字「ＲＥＶ」をつけて表している。すなわち、１画素おきに全ビットを反転して伝送する。差動信号復調部１６では、伝送されてきた垂直差分絶対値データ５４を１画素おきに全ビット反転した後、デジタルパラレルデータに復調する。
【００５６】
図１１は、差分伝送路を伝送されるシリアル差動信号を模式的に表す概念図である。すなわち、同図は、第１の実施形態と同様の１フレームの画像の垂直差分処理を行う前と、垂直差分処理後の垂直差分絶対値データのシリアル差動信号の模式図である。図中、斜めのハッチ部は３０％以上が「１（Ｈ）」の状態（すなわち「１（Ｈ）」と「０（Ｌ）」とが混在している状態）であり、ハッチなしの白い部分は、「１（Ｈ）」が３０％未満の状態（すなわち「０（Ｌ）」が非常に多い状態）であり、縦のハッチ部は「０（Ｌ）」が３０％未満の状態（すなわち「１（Ｈ）」が多い状態）である。
【００５７】
Ｎ画素目の垂直差分絶対値データは、そのまま伝送されるため、図１１より７ビット目から５ビット目までが「０（Ｌ）」が多い状態で、４ビット目からＬＳＢまでが「１（Ｈ）」と「０（Ｌ）」とが混在している状態である。本実施形態では、（Ｎ＋１）画素目の垂直差分絶対値データは、全て反転して伝送されるため、図１１に表したようにＮ画素目とは逆の状態となり、７ビット目から５ビット目までが「１（Ｈ）」が多い状態で、４ビット目からＬＳＢまでが「１（Ｈ）」と「０（Ｌ）」とが混在している状態である。このような状態では、「１（Ｈ）」が比較的多い状態が連続する２画素分のシリアルデータをまたいで発生する。
【００５８】
すなわち、図１１に表したように、Ｎ画素目のＬＳＢ側は「１（Ｈ）」が比較的多く、（Ｎ＋１）画素目の反転された４ビット目側も「１（Ｈ）」が比較的多いため、（Ｎ＋１）画素目の反転された７ビット目から５ビット目までの「１（Ｈ）」が多い状態の時間的に前後では連続して「１（Ｈ）」となっている確率が高くなっている。よって、差分伝送路を伝送される垂直差分絶対値データは、図１２に表したように、比較的低周波の信号となる。その結果として、差分伝送路から発生するＥＭＩを低減することができる。
【００５９】
以上説明したように、本実施形態においても、シリアル差動信号伝送路から放射するＥＭＩを低減することが可能となる。
【００６０】
（第３の実施形態）
次に、本発明の第３の実施形態として、差動信号変調部１４から出力されるシリアル差動信号５４のビット配列の順序が、１画素（１クロック）ごとに上位ビット側と下位ビット側とが逆転している画像表示装置について説明する。
【００６１】
図１３は、本実施形態において、Ｄ０〜Ｄ２７に対応して伝送される垂直差分データの割り当ての一例を表す模式図である。
【００６２】
すなわち、あるフレームのＮ画素目の垂直差分絶対値データは、第１の実施形態と同様に、ＭＳＢからＬＳＢもしくはＬＳＢからＭＳＢの順列で伝送される。本実施形態においては、Ｎ画素目の各色８ビットの垂直差分絶対値データのうち、ＬＳＢ（添え字０）から７ビット目（添え字６）までを、降順の順列で伝送している。しかし、本実施形態では、次の（Ｎ＋１）画素目の垂直差分絶対値データは、Ｎ画素目とは逆の順序で伝送され、すなわちＬＳＢ（添え字０）から７ビット目（添え字６）までを昇順の順列で伝送される。そして、（Ｎ＋２）画素目の垂直差分絶対値データは、そのまま伝送する。
【００６３】
すなわち、１画素ごとに垂直差分絶対値データの伝送されるビットの順列を反転して伝送する。差動信号復調部１６では、伝送されてきた垂直差分絶対値データ５４を１画素ごとにビットの順列を逆にした後、デジタルパラレルデータに復調する。
【００６４】
図１４は、本実施形態において差分伝送路を伝送されるシリアル差動信号を模式的に表した図である。すなわち、同図（ａ）は第１の実施形態と同様の１フレームの画像の垂直差分処理を行う前の状態を表し、同図（ｂ）は垂直差分処理後の垂直差分絶対値データのシリアル差動信号の模式図である。図中、斜めのハッチ部は３０％以上「１（Ｈ）」の状態（すなわち「１（Ｈ）」と「０（Ｌ）」とが混在している状態）であり、ハッチなしの白い部分は、「１（Ｈ）」が３０％未満の状態（すなわち「０（Ｌ）」が非常に多い状態）である。
【００６５】
Ｎ画素目の垂直差分絶対値データは、そのまま伝送されるため、図８より７ビット目から５ビット目が「０（Ｌ）」が多い状態、４ビット目からＬＳＢまでが「１（Ｈ）」と「０（Ｌ）」とが混在している状態である。本実施形態では、（Ｎ＋１）画素目の垂直差分絶対値データは、ビットの順列が反転されて伝送されるため、図１４に表したようにＮ画素目とは逆の状態となり、Ｎ画素目の４ビット目からＬＳＢまでの「１（Ｈ）」と「０（Ｌ）」とが混在している状態に続いて（Ｎ＋１）画素目の４ビット目からＬＳＢまでの「１（Ｈ）」と「０（Ｌ）」とが混在している状態が連続して伝送される。
【００６６】
その後、（Ｎ＋２）画素目は、（Ｎ＋１）画素目の７ビット目から５ビット目の「０（Ｌ）」が多い状態に続いて、（Ｎ＋２）画素目の７ビット目から５ビット目の「０（Ｌ）」が多い状態が伝送される。このような状態では、「１（Ｈ）」が比較的多い状態が連続する２画素分のシリアルデータをまたいで発生する。すなわち、Ｎ画素目のＬＳＢ側は「１（Ｈ）」が比較的多く、（Ｎ＋１）画素目のＬＳＢ側も「１（Ｈ）」が比較的多いため、図１５に表したように、差分伝送路を伝送される垂直差分絶対値データは、比較的低周波の信号となり、そのため差分伝送路から発生するＥＭＩを低減することができる。
【００６７】
以上説明したように、本実施形態においても、シリアル差動信号伝送路から放射するＥＭＩを低減することが可能となる。
【００６８】
（第４の実施形態）
次に、本発明の第４の実施形態として、差動信号変調部１４から出力されるシリアル差動信号５４が１画素（１クロック）おきに反転しており、またその反転位相が隣接する差動伝送路間で１画素ずれている画像表示装置について説明する。  図１６は、本実施形態において、Ｄ０〜Ｄ２７に対応して伝送される垂直差分データの割り当ての一例を表す概念図である。
【００６９】
すなわち、あるフレームのＮ画素目の垂直差分絶対値データは、第１の実施形態と同様に、ＭＳＢからＬＳＢもしくはＬＳＢからＭＳＢの順列で伝送される。図１６の差動伝送路１では、第２の実施形態と同様に、Ｎ画素目の各色８ビットの垂直差分絶対値データのうち、ＬＳＢ（添え字０）から７ビット目（添え字６）までを、降順の順列で伝送し、また、次の（Ｎ＋１）画素目の垂直差分絶対値データは、Ｎ画素目と逆の順序で伝送、すなわちＬＳＢ（添え字０）から７ビット目（添え字６）までを昇順の順列で伝送する。次の（Ｎ＋２）画素目の垂直差分絶対値データは、そのまま伝送する。すなわち、１画素おきに垂直差分絶対値データの伝送されるビットを反転して伝送する。
【００７０】
そして、本実施形態においては、隣接する差動伝送路２は、差動伝送路１と位相を１クロック分（１画素分）ずらして垂直差分絶対値データを反転させて伝送させる。すなわち、図１６に表したように、差動伝送路１のＮ画素目の垂直差分絶対値データはそのまま伝送され、差動伝送路２のＮ画素目の垂直差分絶対値データは反転されて伝送される。更に、差動伝送路１の（Ｎ＋１）画素目の垂直差分絶対値データは反転されて伝送され、差動伝送路２の（Ｎ＋１）画素目の垂直差分絶対値データはそのまま伝送される。
【００７１】
差動信号復調部１６では、伝送されてきた垂直差分絶対値データでビットが反転されているデータを反転した後、デジタルパラレルデータ５６に復調する。
【００７２】
次に、本実施形態におけるＥＭＩ低減化効果について説明する。
【００７３】
本実施形態の各伝送路を伝送される垂直差分絶対値データの信号の状態は、基本的に第２の実施形態と類似しているが、隣接する差動伝送路でビットの反転する位相が１画素ずれているために、第２の実施形態の図１２に対応して、本実施形態の隣接差動伝送路では図１７のように表すことができる。つまり、一方の差動伝送路１が「１（Ｈ）」の状態が多い場合、他方の隣接する差動伝送路２では、「０（Ｌ）」の状態が多くなる。更に、図１７からもわかるように、一方の差動伝送路１が「１（Ｈ）」から「０（Ｌ）」に遷移した際に、他方の隣接する差動伝送路２では「０（Ｌ）」から「１（Ｈ）」に遷移し、または一方の差動伝送路１が「０（Ｌ）」から「１（Ｈ）」に遷移した際に、他方の隣接する差動伝送路２では「１（Ｈ）」から「０（Ｌ）」に遷移するため、隣接する差動伝送路が同時に「０（Ｌ）」から「１（Ｈ）」に遷移したり、「１（Ｈ）」から「０（Ｌ）」に遷移する確率が低下する。
【００７４】
図１８（ａ）は１組の差動伝送路を伝送される理想的な信号の様子を表し、同図（ｂ）は実際に起こり得る差動伝送路を伝送される信号の様子を例示する模式図である。なお、図１８（ｂ）では、実際に起こり得る差動伝送路の状態の１つを表したが、この他にも、様々な要因により、スキューの発生や、パルス幅の不揃い等の現象が起こる。
【００７５】
理想的な伝送状態においては、図１８（ａ）に表したように、信号の立上がりと立下りの遷移時間が同じであり、そのため、１組の差動伝送路で電磁界は閉じた状態となり、伝送路から放射されるＥＭＩは非常に小さくなる。
【００７６】
しかし、実際には様々な外的要因より図１８（ｂ）に例示したように差動信号は不揃いとなり、その結果として伝送路よりＥＭＩが放射される。図１８（ｂ）では、差動信号の立上がりと立下りの遷移時間が異なっている状態の差動信号を表している。この原因としては、様々なものが考えられるが、その１つとして、差動信号変調部を構成するトランジスタの駆動能力が電圧を上昇させる場合と電圧をグラウンド電位に下降させる場合で異なっている場合が挙げられる。このような場合に、図１８（ｂ）に表したような信号の「不揃い」が生じる。
【００７７】
図１９は、図１８（ｂ）のような差動信号の不揃いが発生した場合の、差動信号路における電磁界の様子を表した模式図である。すなわち、同図は、差動信号の電位が変化した時に差動伝送路から放射される電磁界を表し、紙面手前から奥へと電流が流れる伝送路から放射される電磁界を破線で、紙面奥から手前へと電流が流れる伝送路から放射される電磁界を一点鎖線で、それぞれの大きさを矢印の長さにより表している。
【００７８】
理想的な差動信号では、図１９（ａ）に表したように２本の差動伝送路を流れる電流の大きさは等しく、そのため、２本の差動伝送路から放射される電磁界は大きさが等しく、逆相となるため、電磁界は閉じた状態となり、外部への放射は非常に小さくなる。
【００７９】
しかし、図１８（ｂ）に例示した如く差動信号の立上がりと立下りの遷移時間が異なっている場合は、図１９（ｂ）に表したように、２本の差動伝送路を流れる電流の大きさが異なり、そのためそれぞれの伝送路から発生する電磁界は打ち消し合うことができず、その結果、２本の差動伝送路からは、図１９（ｂ）の実線で示すような電磁界が発生することになる。
【００８０】
図２０は、２組の差動伝送路において、それぞれの差動伝送路の電位が変化したときの電流の流れを表す模式図である。２組の差動伝送路１、２の中で、伝送路１−１及び伝送路２−２の「Ｈ（１）」、「Ｌ（０）」が復調される信号のＨ、Ｌを示し、伝送路１−２及び伝送路２−２は、それぞれ伝送路１−１及び伝送路２−２の差動信号が伝送される。差動伝送路１と差動伝送路２の信号が共にＬからＨに変わるとき、図１８（ｂ）に例示したような差動信号の「不揃い」のため、伝送路中を流れる電流は図２０のように、１−１と１−２、２−１と２−２で大きさが異なる。すなわち、信号のＬからＨへの遷移時間は短いため、流れる電流量は小さく、ＨからＬへの遷移時間は長いため、流れる電流量は大きくなる。
【００８１】
図２１は、このような２本の差動伝送路から発生する電磁界を表す模式図である。それぞれの差動伝送路より発生する電磁界の向きは同じであるため、電磁界を強めあって外部にＥＭＩとして放射されることになる。
【００８２】
一方、差動伝送路１の信号がＬからＨ、差動伝送路２の信号がＬからＨに変わる場合は、図２２に表したように、伝送路１−１、伝送路２−２を流れる電流量が伝送路１−２、伝送路２−１を流れる電流量に比べ大きくなる。このような２本の差動伝送路から発生する電磁界は、図２３に表した如くであり、それぞれの差動伝送路より発生する電磁界の向きは逆相となるため打ち消しあい外部に放射されるＥＭＩは小さくなる。
【００８３】
本実施形態に基づいて垂直差分絶対値データを伝送する場合、上述したように、隣接する差動伝送路を伝送される垂直差分絶対値データが同時にＬからＨもしくはＨからＬになる確率は画像データをそのまま伝送する場合に比べ小さくなる。そのため、隣接する差動伝送路より発生する電磁界を強めあう状態の発生確率は低下し、よって外部に放射されるＥＭＩを低減することができる。
【００８４】
以上説明したように、本実施形態においても、シリアル差動信号伝送路から放射するＥＭＩを低減することが可能となる。
【００８５】
（第５の実施形態）
次に、本発明の第５の実施形態として、差動信号変調部１４から出力されるシリアル差動信号が、１画素（１クロック）ごとに上位ビット側と下位ビット側との出力順が逆転し、またその上位ビット側と下位ビット側の配列の位相が隣接する差動伝送路間で１画素ずれている画像表示装置について説明する。
【００８６】
図２４は、本実施形態において、Ｄ０〜Ｄ２７に対応して伝送される垂直差分データの割り当ての一例を表す模式図である。
【００８７】
すなわち、あるフレームのＮ画素目の垂直差分絶対値データは、第１の実施形態と同様に、ＭＳＢからＬＳＢもしくはＬＳＢからＭＳＢの順列で伝送される。図２４の差動伝送路１では、第３の実施形態と同様に、Ｎ画素目の各色８ビットの垂直差分絶対値データのうち、ＬＳＢ（添え字０）から７ビット目（添え字６）までを、降順の順列で伝送し、次の（Ｎ＋１）画素目の垂直差分絶対値データは、Ｎ画素目と逆の順序で伝送され、すなわちＬＳＢ（添え字０）から７ビット目（添え字６）までを昇順の順列で伝送する。
【００８８】
次の、（Ｎ＋２）画素目の垂直差分絶対値データは、そのまま伝送する。すなわち１画素ごとに垂直差分絶対値データの伝送されるビットの順列を反転して伝送する。しかし、本実施形態では、隣接する差動伝送路２では、ビットの順列を逆にする位相が差動伝送路１に対して１画素ずれている。すなわち、Ｎ画素目の各色８ビットの垂直差分絶対値データのうち、ＬＳＢ（添え字０）から７ビット目（添え字６）までを、昇順の順列で伝送し、次の（Ｎ＋１）画素目の垂直差分絶対値データは、Ｎ画素目と逆の順序で伝送され、すなわちＬＳＢ（添え字０）から７ビット目（添え字６）までを降順の順列で伝送する。次の、Ｎ＋２画素目の垂直差分絶対値データは、Ｎ画素目と同様に昇順の順列で伝送する。差動信号復調部では、伝送されてきた垂直差分絶対値データでビットの伝送順列が逆になっているデータのビットの順列を逆にした後、デジタルパラレルデータに復調する。
【００８９】
次に、本実施形態におけるＥＭＩ低減化効果について説明する。
【００９０】
本実施形態の各伝送路を伝送される垂直差分絶対値データの信号の状態は、基本的に第３の実施形態と同様であるが、隣接する差動伝送路でビットの順列を逆にする位相が１画素ずれているために、第３の実施形態の図１５は、隣接差動伝送路では図２５のように表される。つまり、一方の差動伝送路１がＨの状態が多い場合、他方の隣接する差動伝送路２では、Ｌの状態が多くなる。更に、図２５からもわかるように、一方の差動伝送路１がＨからＬに遷移した際に、他方の隣接する差動伝送路２ではＬからＨに遷移、または一方の差動伝送路１がＬからＨに遷移した際に、他方の隣接する差動伝送路２ではＨからＬに遷移するため、隣接する差動伝送路が同時にＬからＨに遷移したり、ＨからＬに遷移する確率が低下する。よって、第４の実施形態と同様に、隣接差動伝送路より放射されるＥＭＩを低減することが可能となる。
【００９１】
以上説明したように、本実施形態においても、シリアル差動信号伝送路から放射するＥＭＩを低減することが可能となる。
【００９２】
（第６の実施形態）
次に、本発明の第６の実施形態として、隣接する差動伝送路の一方の差動伝送路を伝送されるシリアル差動信号はそのままとし、他方の差動伝送路を伝送されるシリアル差動信号を全て反転して伝送する画像表示装置について説明する。
【００９３】
図２６は、本実施形態において、Ｄ０〜Ｄ２７に対応して伝送される垂直差分データの割り当ての一例を表す模式図である。
【００９４】
すなわち、差動伝送路１を伝送される垂直差分絶対値データは、第１の実施形態と同様に、ＭＳＢからＬＳＢもしくはＬＳＢからＭＳＢの順列で伝送される。しかし、本実施形態においては、隣接する差動伝送路２では、全てのビットが反転されて伝送される。差動信号復調部では、伝送されてきた垂直差分絶対値データのうち、ビットが反転されている差動伝送路を伝送されたデータについてはビットを反転し、デジタルパラレルデータに復調する。
【００９５】
次に、本実施形態におけるＥＭＩ低減化効果について説明する。
【００９６】
図２７は、本実施形態における隣接する差動伝送路１、２を伝送される垂直差分絶対値データを模式的に表したグラフ図である。差動伝送路１は、垂直差分絶対値データのＬＳＢから７ビット目までが降順の順列でシリアルに伝送されるため、第１の実施形態において説明したように、７ビット目から５ビット目はＬとなっている確率が高く、４ビット目からＬＳＢまででＬからＨになる確率が高い。
【００９７】
一方、隣接する差動伝送路２では、垂直差分絶対値データは全ビット反転されて伝送されるため、７ビット目から５ビット目はＨ、４ビット目からＬＳＢまではＨからＬになる確率が高い。そのため、これまで説明してきたように、本実施形態においては、隣接する差動伝送路が共にＬからＨ、またはＨからＬになる確率が、通常の画像データをシリアルに伝送する場合に比べて低くなる。
【００９８】
また一方の差動伝送路を伝送される垂直差分絶対値データがＨからＬになった場合、他方の隣接する差動伝送路を伝送される垂直差分絶対値データはＬからＨと逆に遷移するため、差動伝送路から放射されるＥＭＩを低減することが可能となる。
【００９９】
以上説明したように、本実施形態においても、シリアル差動信号伝送路から放射するＥＭＩを低減することが可能となる。
【０１００】
（第７の実施形態）
次に、本発明の第６の実施形態として、隣接する差動伝送路の一方の差動伝送路を伝送されるシリアル差動信号はそのままとし、他方の差動伝送路を伝送されるシリアル差動信号のビットの順列が隣接する差動伝送路のビットの順列と逆順になっている画像表示装置について説明する。
【０１０１】
図２８は、本実施形態において、Ｄ０〜Ｄ２７に対応して伝送される垂直差分データの割り当ての一例を表した模式図である。
【０１０２】
すなわち、差動伝送路１を伝送される垂直差分絶対値データは、第１の実施形態と同様に、ＭＳＢからＬＳＢもしくはＬＳＢからＭＳＢの順列で伝送される。しかし、本実施形態においては、隣接する差動伝送路２では、全てのビットが差動伝送路１の順列と逆の順列で伝送される。差動信号復調部１６では、伝送されてきた垂直差分絶対値データのうち、ビットの順列が逆順になっている差動伝送路を伝送されたデータについてはビットの順列を逆にした後、デジタルパラレルデータ５６に復調する。
【０１０３】
次に、本実施形態におけるＥＭＩ低減化効果について説明する。
【０１０４】
図２９は、本実施形態における隣接する差動伝送路１、２を伝送される垂直差分絶対値データを模式的に表したグラフ図である。
【０１０５】
差動伝送路１は、垂直差分絶対値データのＬＳＢから７ビット目までが降順の順列でシリアルに伝送されるため、第１の実施形態において説明したように、１画素の時間的に前半の７ビット目から５ビット目はＬとなっている確率が高く、後半の４ビット目からＬＳＢまででＬからＨになる確率が高い。一方、隣接する差動伝送路２では、垂直差分絶対値データはビットの順列が逆となっているため、時間的に前半の４ビット目からＬＳＢまではＨからＬになる確率が高い７ビット目から５ビット目はＬになっている確率が高い。
【０１０６】
そのため、これまで説明してきたように、本実施形態においては、隣接する差動伝送路が共にＬからＨ、またはＨからＬになる確率が、通常の画像データをシリアルに伝送する場合に比べて低くなる。また一方の差動伝送路を伝送される垂直差分絶対値データがＨからＬになった場合、他方の隣接する差動伝送路を伝送される垂直差分絶対値データはＬからＨと逆に遷移するため、差動伝送路から放射されるＥＭＩを低減することが可能となる。
【０１０７】
以上説明したように、本実施形態においても、シリアル差動信号伝送路から放射するＥＭＩを低減することが可能となる。
【０１０８】
以上、具体例を参照しつつ本発明の実施の形態について説明した。しかし、本発明は、上述した各具体例に限定されるものではない。
【０１０９】
例えば、本発明を適用しうる画像表示装置としては、前述の如く液晶表示装置以外にも各種の方式のものを挙げることができる。
【０１１０】
また、その画素の配置関係や画素数、あるいは色要素の種類や数についても、前述した具体例には限定されない。
【０１１１】
すなわち、本発明は各具体例に限定されるものではなく、その要旨を逸脱しない範囲で、種々変形して実施することが可能であり、これらすべては本発明の範囲に包含される。
【０１１２】
【発明の効果】
以上詳述したように、本発明によれば、画像データをシリアルの差動信号として伝送する際に、差動伝送路より発生するＥＭＩを低減することが可能となる。
【０１１３】
その結果として、本発明によれば、ＥＭＩを抑制しつつ極めて高い画素密度でコンパクトな画像表示装置を実現でき産業上のメリットは多大である。
【図面の簡単な説明】
【図１】本発明の第１の実施形態にかかる画像表示装置の要部を表すブロック図である。
【図２】垂直差分変調部１２の構成を例示するブロック図である。
【図３】垂直差分復調部１８の構成を例示するブロック図である。
【図４】差動信号変調部１４から差動信号復調部１６へのシリアル信号の伝送を説明するための概念図である。
【図５】あるフレームにおけるＮ画素目の垂直差分データの伝送を例示する概念図である。
【図６】８ビットの垂直差分絶対値データから任意の７ビットを取り出して同様に昇順もしくは降順の順列でシリアル化する模式図である。
【図７】（ａ）は、ある１フレームの画像データのヒストグラムであり、（ｂ）は、その画像データを垂直差分処理した垂直差分絶対値データのヒストグラムである。
【図８】ある１フレームの各色８ビットの画像データ及び垂直差分絶対値データのＬＳＢ〜ＭＳＢのビットが「１（ｈｉｇｈ：Ｈ）」である数及び全画素に対する割合を表す一覧表である。
【図９】本発明の第１実施形態において差分伝送路を伝送されるシリアル差動信号を表した概念図である。
【図１０】本発明の第２実施形態において、Ｄ０〜Ｄ２７に対応して伝送される垂直差分データの割り当てを例示する模式図である。
【図１１】差分伝送路を伝送されるシリアル差動信号を模式的に表す概念図である。
【図１２】差分伝送路を伝送される垂直差分絶対値データが、比較的低周波の信号となることを表すグラフ図である。
【図１３】本発明の第３実施形態において、Ｄ０〜Ｄ２７に対応して伝送される垂直差分データの割り当ての一例を表す模式図である。
【図１４】本発明の第３実施形態において差分伝送路を伝送されるシリアル差動信号を模式的に表した図である。
【図１５】差分伝送路を伝送される垂直差分絶対値データが、比較的低周波の信号となることを表すグラフ図である。
【図１６】本発明の第４実施形態において、Ｄ０〜Ｄ２７に対応して伝送される垂直差分データの割り当ての一例を表す概念図である。
【図１７】隣接する差動伝送路が同時に「０（Ｌ）」から「１（Ｈ）」に遷移したり、「１（Ｈ）」から「０（Ｌ）」に遷移する確率が低下することを表すグラフ図である。
【図１８】（ａ）は１組の差動伝送路を伝送される理想的な信号の様子を表し、（ｂ）は実際に起こり得る差動伝送路を伝送される信号の様子を例示する模式図である。
【図１９】図１８（ｂ）のような差動信号の不揃いが発生した場合の、差動信号路における電磁界の様子を表した模式図である。
【図２０】２組の差動伝送路において、それぞれの差動伝送路の電位が変化したときの電流の流れを表す模式図である。
【図２１】２本の差動伝送路から発生する電磁界を表す模式図である。
【図２２】差動伝送路１の信号がＬからＨ、差動伝送路２の信号がＬからＨに変わる場合に、伝送路１−１、伝送路２−２を流れる電流量が伝送路１−２、伝送路２−１を流れる電流量に比べ大きくなることを表す模式図である。
【図２３】２本の差動伝送路から発生する電磁界が、それぞれの差動伝送路より発生する電磁界の向きは逆相となるため打ち消しあい外部に放射されるＥＭＩは小さくなることを表す模式図である。
【図２４】本発明の第５実施形態において、Ｄ０〜Ｄ２７に対応して伝送される垂直差分データの割り当ての一例を表す模式図である。
【図２５】隣接差動伝送路における信号の遷移を表すグラフ図である。
【図２６】本発明の第６実施形態において、Ｄ０〜Ｄ２７に対応して伝送される垂直差分データの割り当ての一例を表す模式図である。
【図２７】第６実施形態における隣接する差動伝送路１、２を伝送される垂直差分絶対値データを模式的に表したグラフ図である。
【図２８】本発明の第７実施形態において、Ｄ０〜Ｄ２７に対応して伝送される垂直差分データの割り当ての一例を表した模式図である。
【図２９】第７実施形態における隣接する差動伝送路１、２を伝送される垂直差分絶対値データを模式的に表したグラフ図である。
【図３０】ＬＤＶＳを採用した画像表示システムの全体構成を例示する概念図である。
【符号の説明】
１〜４  差動伝送路
１０  グラフィックコントローラ
１２  垂直差分変調部
１２Ａ  ラインメモリー
１２Ｂ  差分回路
１４  差動信号変調部
１６  差動信号復調部
１８  垂直差分復調部
１８Ａ  ラインメモリー
１８Ｂ  加算回路
２０  信号線駆動回路
５０  デジタル画像データ
５２  垂直差分デジタルデータ
５４  シリアル差動信号
５６  垂直差分デジタルデータ
５８  デジタル画像データ
１１０  グラフィックコントローラ
１２０  差動変調部
１３０  差動復調部
１４０  液晶表示部
２１０  デジタル信号
２２０  差動シリアル信号
２３０  デジタル画像データ
【図１】
2004177743.tif 000003
【図２】
2004177743.tif 000004
【図３】
2004177743.tif 000005
【図４】
2004177743.tif 000006
【図５】
2004177743.tif 000007
【図６】
2004177743.tif 000008
【図７】
2004177743.tif 000009
【図８】
2004177743.tif 000010
【図９】
2004177743.tif 000011
【図１０】
2004177743.tif 000012
【図１１】
2004177743.tif 000013
【図１２】
2004177743.tif 000014
【図１３】
2004177743.tif 000015
【図１４】
2004177743.tif 000016
【図１５】
2004177743.tif 000017
【図１６】
2004177743.tif 000018
【図１７】
2004177743.tif 000019
【図１８】
2004177743.tif 000020
【図１９】
2004177743.tif 000021
【図２０】
2004177743.tif 000022
【図２１】
2004177743.tif 000023
【図２２】
2004177743.tif 000024
【図２３】
2004177743.tif 000025
【図２４】
2004177743.tif 000026
【図２５】
2004177743.tif 000027
【図２６】
2004177743.tif 000028
【図２７】
2004177743.tif 000029
【図２８】
2004177743.tif 000030
【図２９】
2004177743.tif 000031
【図３０】
2004177743.tif 000032